(57)【要約】      （修正有）【課題】新聞や書籍や雑誌などを、保管するために種類ごとに分けてひもをグーッと引いて十文字に縛り、ゆるむことなく、巻きやすく、また、縛ったひもを簡単に解きやすくするようにひもで十文字に縛る鍵の板を提供する。【解決手段】十文字板１の正方形のＡ部２とＢ部３、２枚つなぎ、折り目８を設ける。Ａ部２は中央にピラミッド型の凸部４を設け、穴９に横みぞ６や縦上下の切れ目１０を設ける。Ａ部２の側面の上と下にＶ字型の凹部１１に切れ目１０を設ける。Ｂ部３は中央にピラミッド型の凹部５を設け、穴９に縦みぞ７や横左右の切れ目１０を設ける。Ｂ部３の側面の右上方や、下もＶ字型の凸部１２に切れ目１０を設けたことを特徴とする。【選択図】図１
2009184728.tif 000002
【特許請求の範囲】
【請求項１】
十文字板（１）の正方形のＡ部（２）とＢ部（３）、２枚つなぎ、折り目（８）を設ける。
【請求項２】
Ａ部（２）は中央にピラミッド型の凸部（４）を設け、穴（９）に横みぞ（６）や縦上下の切れ目（１０）を設ける。
Ａ部（２）の側面の上と下にＶ字型の凹部（１１）に切れ目（１０）を設ける。
【請求項３】
Ｂ部（３）は中央にピラミッド型の凹部（５）を設け、穴（７）に縦みぞ（５）や横左右の切れ目（１０）を設ける。
Ｂ部（３）の側面の右上方や、下もＶ字型の凸部（１２）に切れ目（１０）を設ける。
【発明の詳細な説明】
【技術分野】
【０００１】    この発明は、ひもを縛ると、解ける鍵の板に関するものである。
【背景技術】
【０００２】  将来、新聞や書籍や雑誌などを保管するために、種類ごとに分けて  ひもをグーッと引いて  十文字に縛ってもキュッと締められず、崩れてしまうことがあった。また、追加したり、減らしたりする時にひもが解けないという問題がありました。
【発明の開示】
【発明が解決しょうとする課題】
【０００３】    これは次のような欠点があった。
（イ）保管するために縛っても  ひも解けないと、ハサミで切ってしまうことになり、ひもが無駄になってしまう。
（ロ）簡単にゆるまないようにひもを結ぶことがむずかしい、また  ゆるまなように縛ると今度はひもが解きにくい。
本発明はこれからの欠点を除くためになされたものである。
【課題を解決するための手段】
【０００４】  十文字板（１）の正方形のＡ部（２）とＢ部（３）、２枚つなぎ、折り目（８）を設ける。
Ａ部（２）は中央にピラミッド型の凸部（４）を設け、穴（９）に横みぞ（６）や縦上下の切れ目（１０）を設ける。
Ａ部（２）の側面の上と下にＶ字型の凹部（１１）に切れ目（１０）を設ける。
Ｂ部（３）は中央にピラミッド型の凹部（５）を設け、穴（７）に縦みぞ（５）や横左右の切れ目（１０）を設ける。
Ｂ部（３）の側面の右上方や、下もＶ字型の凸部（１２）に切れ目（１０）を設ける。
本発明は、以上の構成よりなるひもで十文字に縛る鍵の板である。
【発明の効果】
【０００５】  十文字板のピラミッド型やＶ字型の凸部と凹部はひもを巻く方向を示し、ひもを巻きやすい。
新聞や書籍や雑誌などの中央の上に十文字板（１）のＡ部（２）を置き、巻いて  Ｂ部（３）を折りたたんでから巻くと、十文字板のピラミッド型やＶ字型の凸部と凹部は押圧されて  切れ目はひもがゆるむのを防ぐ。
新聞や書籍や雑誌などの量と大きさによって  ひもの長さを調節することが簡単にできる。
【発明を実施するための最良の形態】
【０００６】  以下、本発明を実施するための最良の形態について説明する。
十文字板（１）の正方形のＡ部（２）とＢ部（３）、２枚つなぎ、折り目（８）を設ける。
Ａ部（２）は中央にピラミッド型の凸部（４）を設け、穴（９）に横みぞ（６）や縦上下の切れ目（１０）を設ける。
Ａ部（２）の側面の上と下にＶ字型の凹部（１１）に切れ目（１０）を設ける。
Ｂ部（３）は中央にピラミッド型の凹部（５）を設け、穴（７）に縦みぞ（５）や横左右の切れ目（１０）を設ける。
Ｂ部（３）の側面の右上方や、下もＶ字型の凸部（１２）に切れ目（１０）を設ける。
本発明は以上のような構造で、これを使用するときは、新聞や書籍や雑誌などの上部中央に十文字板（１）のＡ部（２）を置き、巻いて  Ｂ部（３）を折りたたんでから巻くと、十文字板のピラミッド型やＶ字型の凸部と凹部は押圧されて  切れ目はひもがゆるむのを防ぐ。
十文字板のＶ字型の凸部と凹部は巻く方向が分かりやすく  ひもを巻きやすい。
新聞や書籍や雑誌などの量と大きさによって  ひもの長さを調節することができる。
【図面の簡単な説明】
【０００７】
【図１】  本発明の斜視図である。
【図２】  本発明の斜視図である。
【符号の説明】
【０００８】１    十文字板
２    Ａ部
３    Ｂ部
４    ピラミッド型凸部
５    ピラミッド型凹部
６    横みぞ
７    縦みぞ
８    折り目
９    穴
１０  切れ目
１１  Ｖ字型凹部
１２  Ｖ字型凸部
１３  ひも通し入口
１４  通し溝
【図１】
2009184728.tif 000003
【図２】
2009184728.tif 000004
2009184728.tif 000005
2009184728.tif 000006
2009184728.tif 000007
2009184728.tif 000008
2009184728.tif 000009
2009184728.tif 000010
2009184728.tif 000011
【手続補正書】
【提出日】平成20年4月30日(2008.4.30)
【手続補正１】
【補正対象書類名】図面
【補正対象項目名】全図
【補正方法】変更
【補正の内容】
【図１】
2009184728.tif 000012
【図２】
2009184728.tif 000013
【図３】
2009184728.tif 000014
【図４】
2009184728.tif 000015
【図５】
2009184728.tif 000016
【図６】
2009184728.tif 000017
【図７】
2009184728.tif 000018
【図８】
2009184728.tif 000019
【図９】
2009184728.tif 000020
【図１０】
2009184728.tif 000021
【図１１】
2009184728.tif 000022
【図１２】
2009184728.tif 000023
【図１３】
2009184728.tif 000024
【図１４】
2009184728.tif 000025
【図１５】
2009184728.tif 000026
【図１６】
2009184728.tif 000027
【図１７】
2009184728.tif 000028
【図１８】
2009184728.tif 000029
【図１９】
2009184728.tif 000030
【図２０】
2009184728.tif 000031
【図２１】
2009184728.tif 000032
【図２２】
2009184728.tif 000033
【図２３】
2009184728.tif 000034
【図２４】
2009184728.tif 000035
【図２５】
2009184728.tif 000036
【図２６】
2009184728.tif 000037
【図２７】
2009184728.tif 000038
【手続補正２】
【補正対象書類名】明細書
【補正対象項目名】０００７
【補正方法】変更
【補正の内容】
【０００７】
【図１】本発明の斜視図である。
【図２】本発明の斜視図である。
【図３】本発明に使用するひもの動きで  Ａ部２のＶ字型１１の上部の切れ目１０に結び目を差し込む図である。
【図４】本発明に使用するひもの動きで  Ａ部２のＶ字型１１の下部の切れ目１０に差し込む図である。
【図５】本発明に使用するひもの動きで  Ａ部２の下からひも通し入口１３へ通る図である。
【図６】本発明に使用するひもの動きで  Ａ部２のピラミッド型凸部４の下部の切れ目１０にひもを差し込み、引っ張る図である。
【図７】本発明に使用するひもの動きで新聞などの上に置く図である。
【図８】本発明に使用するひもの動きで１周から２周巻く図である。
【図９】本発明に使用するひもの動きで  ひもはひも通し入口１３の横みぞ６を通る図である。
【図１０】本発明に使用するひもの動きで  ひもを手前に引き締める図である。
【図１１】本発明に使用するひもの動きで  引き締めてそのままピラミッド型凸部４の上部の切れ目１０に引き込む図である。
【図１２】本発明に使用するひもの動きで  Ｂ部ピラミッド型凹部５の通し溝１４を通る図である。
【図１３】本発明に使用するひもの動きで  Ｂ部３の下を通してＶ字型凸部１２切れ目１０に通る図である。
【図１４】本発明に使用するひもの動きで  Ｂ部３のひも通し入口１３を通してピラミッド型凹部５右部切れ目１０に通る図である。
【図１５】本発明に使用するひもの動きで  右部切れ目１０を通して、ひもを引っ張る図である。
【図１６】本発明に使用するひもの動きで  Ａ部２は固定し、Ｂ部３をたたむ図である。
【図１７】本発明に使用するひもの動きで  Ｂ部３ピラミッド型５右部の切れ目１０に差し込みした、ひもを上の方に引っ張る図である。
【図１８】本発明に使用するひもの動きで  新聞などの位置を９０度時計回りにした図である。
【図１９】本発明に使用するひもの動きで  １周から２周巻く図である。
【図２０】本発明に使用するひもの動きで  Ｂ部３のひも通し入口１３や縦みぞ７を通る図である。
【図２１】本発明に使用するひもの動きで  Ｂ部３ピラミッド型５の穴９に着いた、ひもを手前に引き締める図である。
【図２２】本発明に使用するひもの動きで  引き締めてそのままピラミッド型５の上部の切れ目１０に引き込む図である。
【図２３】本発明に使用するひもの動きで  Ｂ部３ピラミッド型５のＶ字型１２の切れ目１０に通し込む図である。
【図２４】本発明に使用するひもの動きで  Ｂ部３の十文字板１の下に回し込んでＢ部のひも通し入口１３に通る図である。
【図２５】本発明に使用するひもの動きで  ひもはＢ部３の縦みぞ７のひも通し入口１３に通る図である。
【図２６】本発明に使用するひもの動きで  Ｂ部３の穴９に着いたひもを手前に引き締める図である。
【図２７】本発明に使用するひもの動きで  そのままＢ部３ピラミッド型凸部５の上部の切れ目１０に引き込み、１０Ｃｍくらい、残して切る図である。
【手続補正３】
【補正対象書類名】明細書
【補正対象項目名】０００８
【補正方法】変更
【補正の内容】
【符号の説明】
【０００８】
１十文字板
２Ａ部
３Ｂ部
４ピラミッド型凸部
５ピラミッド型凹部
６横みぞ
７縦みぞ
８折り目
９穴
１０切れ目
１１Ｖ字型凹部
１２Ｖ字型凸部
１３ひも通し入口
１４通し溝